(57)【要約】【課題】長方形の蓋体を、同じく長方形とした収納体の長辺方向に回動可能に軸支するとともに、蓋体を収納体の短辺と平行に回動可能とすると、蓋体内側の鏡体を縦長として顔全体を鏡体に映すことや、鏡体を横長として両目全体を鏡体に映すことが可能となり、一度にバランスよくメイクすることができる。【解決手段】化粧料2の収納部4を設けた長方形の収納体1の上面を、同じく長方形で内側を鏡体14とした蓋体13で被覆するとともに、収納体1の一方の短辺側5に、平行軸支体8を短辺と平行に軸支して回動可能とする。そして、この平行軸支体8に、短辺と垂直に垂直軸支体16を軸支し、平行軸支体8と平行な回動が可能となるように蓋体13の一方の短辺側15にこの垂直軸支体16を軸支するとともに蓋体13の他方の短辺側18と収納体1の他方の短辺側21とを係合部17により係脱可能に接続した。【選択図】図１
2006288764.tif 000002
【特許請求の範囲】
【請求項１】
化粧料の収納部を設けた長方形の収納体の上面を、同じく長方形で内側を鏡体とした蓋体で被覆するとともに、収納体の一方の短辺側に、平行軸支体を短辺と平行に軸支して回動可能とし、この平行軸支体に、短辺と垂直に垂直軸支体を軸支し、この垂直軸支体に収納体を被覆する蓋体の一方の短辺側を垂直軸支体と平行な回動を可能に軸支するとともに蓋体と収納体の他方の短辺側を係合部により係脱可能に接続したことを特徴とする化粧用コンパクト容器。
【発明の詳細な説明】
【技術分野】
【０００１】
本発明は、化粧料を収納するための化粧用コンパクト容器に関するものである。
【背景技術】
【０００２】
【特許文献１】特開平１１−２７６２４３号公報
【０００３】
従来、特許文献１に示す如く内側を鏡体とした蓋体を化粧料の収納体に、前後、左右方向に回転可能とし、蓋体を収納体の底面側に移動できるようにした化粧用コンパクト容器が存在する。この従来例は、蓋体を開放した状態で包装することにより、収納体内の化粧料を、商品展示時に外部から見ることができるようにしたものである。
【発明の開示】
【発明が解決しようとする課題】
【０００４】
しかしながら、特許文献１に示す化粧用コンパクト容器をほぼ正方形に形成しているため、アイメイクをする際に鏡体に両目全体を横長に映したい場合には鏡体の横幅が足りずに不十分なものとなり、また、縦長の顔全体を映して化粧作業を行う場合には、縦幅が足りずに顔全体を鏡体に映すことができず不十分となり、一度にバランスよくメイクをすることができないという問題点を有していた。また、蓋体を収納体に対して開閉方向に９０度起立し、そのまま左右方向に９０度回転すると、収納体と蓋体をほぼ正方形に形成したために鏡体の半分程度が収納体に隠れてしまい、鏡体の使用可能部分が狭小となってしまうという問題点も有している。
【０００５】
そこで本発明は、上述の如き課題を解決しようとするものであって、アイメイク等をする際やファンデーションを塗る際等において顔の必要な部分の全体を鏡体に映し出すことを可能として、使用者がメイクをする際に鏡体を移動させたり、鏡体の前で顔を前後、左右に移動させたりして顔の必要な部分を大きく映し出す負担を軽減するものである。
【課題を解決するための手段】
【０００６】
本発明は、上述の如き課題を解決するため、化粧料の収納部を設けた長方形の収納体の上面を、同じく長方形で内側を鏡体とした蓋体で被覆するとともに、収納体の一方の短辺側に、平行軸支体を短辺と平行に軸支して回動可能とし、この平行軸支体に、短辺と垂直に垂直軸支体を軸支し、この垂直軸支体に収納体を被覆する蓋体の一方の短辺側を垂直軸支体と平行な回動を可能に軸支するとともに蓋体と収納体の他方の短辺側を係合部により係脱可能に接続したものである。
【発明の効果】
【０００７】
本発明では、上述の如き構成とすることによって、収納体に軸支した平行軸支体により蓋体が収納体の長辺方向に回動可能となるとともに、平行軸支体に軸方向と直交方向に軸支した垂直軸支体により、蓋体が平行軸支体と平行に回動可能となっている。したがって、ファンデーションを塗る際等の鏡体を縦長にして顔全体を映したい場合には、蓋体と収納体との係合を解除して、蓋体を収納体の長辺方向に開放することにより蓋体内側に設けた鏡体が縦長となって顔全体を映すことが可能となる。また、アイメイク等の化粧を行うために鏡体を横長にして両目全体を映したい場合には、蓋体と収納体との係合を解除して、蓋体を収納体の長辺方向に開放するとともに蓋体を平行軸支体と平行に回転させることにより、鏡体を横長とすることができ、両目全体を鏡体に映すことが可能となる。したがって、一度にバランスよくメイクをすることが可能となる。また、使用者がメイクをする際に鏡体を移動させたり、鏡体の前で顔を前後、左右に移動させたりして顔の必要な部分を映し出す負担をなくすことが可能となるものである。
【実施例１】
【０００８】
以下、本発明の実施例を図面において説明すると、（１）は収納体で、長方形に形成し、化粧料（２）とパフ（３）を収納するための収納部（４）を設ける。そして、図１及び図２に示す如く収納体（１）の一方の短辺側（５）を凸字型に切欠いて切欠部（６）とし、この切欠部（６）の短辺方向の両壁を穿孔して軸穴（７）とする。また、この切欠部（６）よりやや小さく直方体状に平行軸支体（８）を形成し、この平行軸支体（８）の長手方向の両端面に上記軸穴（７）に挿入可能に突出部（１０）を突出する。そして、収納体（１）の切欠部（６）に平行軸支体（８）を挿入するとともに突出部（１０）を軸穴（７）に挿入して、平行軸支体（８）が収納体（１）の長手方向に回動可能となるように平行軸支体（８）を収納体（１）の幅方向に軸支する。また、この平行軸支体（８）の長手方向の中央部外面を肉厚にした肉厚部（１１）を形成し、この肉厚部（１１）に連結孔（１２）を設ける。この連結孔（１２）を肉厚部（１１）に設けることにより、平行軸支体（８）を脆弱化することがない。
【０００９】
また、収納体（１）を被覆するために収納体（１）と同じく長方形に形成した蓋体（１３）を設け、この蓋体（１３）の内側に長方形状の鏡体（１４）を設ける。また、蓋体（１３）の一方の短辺側（１５）の内方には、連結孔（１２）に連結して蓋体（１３）が平行軸支体（８）と平行に回動可能となるように、垂直軸支体（１６）を設ける。そして、平行軸支体（８）に設けた連結孔（１２）に垂直軸支体（１６）を軸支して、垂直軸支体（１６）を連結孔（１２）内で回転可能とし、蓋体（１３）を平行軸支体（８）と平行に回動可能とする。
【００１０】
なお、本実施例では、平行軸支体（８）に設けた連結孔（１２）に、蓋体（１３）に設けた垂直軸支体（１６）を軸支しているが、他の異なる実施例に於いては、垂直軸支体（１６）を平行軸支体（８）に突出固定し、蓋体（１３）に連結孔（１２）を設けて垂直軸支体（１６）を軸支し、この連結孔（１２）内で垂直軸支体（１６）を回転可能として蓋体（１３）を平行軸支体（８）と平行に回動可能とすることも可能である。
【００１１】
また、蓋体（１３）の他方短辺側（１８）に係合片（２０）を設け、収納体（１）の他方短辺側（２１）に係合片（２０）と係合する係合受片（２２）を設け、この係合片（２０）と係合受片（２２）との係合を解除するための押圧片（２３）を設けて係合部（１７）とし、蓋体（１３）と収納体（１）とを係脱可能とする。
【００１２】
上記の如く構成したものにおいて、この平行軸支体（８）を収納体（１）の長手方向に回転可能としたことにより、図３に示す如く蓋体（１３）を収納体（１）に閉止したり、図４に示す如くこの閉止状態から蓋体（１３）と収納体（１）との係合を解除して蓋体（１３）を立ち上げると平行軸支体（８）が収納体（１）の長手方向に回転して収納体（１）の収納部（４）を開放することができる。そして蓋体（１３）を任意の角度まで立ち上げれば長方形状の鏡体（１４）を縦長に使用可能とすることができ、ファンデーションを顔に塗る際には鏡体（１４）を縦長にして顔全体を映すことができる。蓋体（１３）を更に収納体（１）の長手方向に回転させると、図５に示す如く蓋体（１３）を収納体（１）と平行する角度まで倒すことができ、机に載置した状態等で上から鏡体（１４）をのぞき込んでメイク等をすることが可能となる。
【００１３】
また、蓋体（１３）を平行軸支体（８）と平行に回転可能としたことにより、図５の状態から収納体（１）の一方の短辺側（５）に対して蓋体（１３）の一方の短辺側（１５）を直交する程度に蓋体（１３）を回転すると、図６に示す如く蓋体（１３）の内側に設けられている鏡体（１４）を収納体（１）に対して横向きにすることができる。そして、鏡体（１４）をこのような位置に回動することにより、鏡体（１４）の垂直軸支体（１６）側において、鏡体（１４）が収納体（１）の幅方向の半分の長さ分だけ収納体（１）に隠れることとなる。しかし、鏡体（１４）を長方形に形成したことにより、幅方向の一部が収納体（１）に隠れても長手方向の上側は全部が表示され、両目全体を映すのに十分な長さが確保されており、アイメイク等をする際に、両目全体を鏡体（１４）に映すことが可能となる。また、鏡体（１４）を横向きにしつつ、収納体（１）を手元に向けることが可能となるので、化粧用コンパクト容器（２４）の使用者は手元で化粧料（２）を使いつつ鏡体（１４）を横長にしてメイクをすることが可能となる。
【００１４】
以上のように、本実施例の如く構成することによって、メイク時に必要な顔の部分の全体を鏡体（１４）に映すことが可能となって、一度にバランスよくメイクをすることができるとともに、メイク時等の鏡体（１４）の移動や、鏡体（１４）の前で顔を前後、左右に移動する負担をなくすことができる。
【００１５】
また、図６に示す状態から平行軸支体（８）を蓋体（１３）の起立方向に回転することにより、図１に示す如く、鏡体（１４）を任意の角度に起立することができ、鏡体（１４）を上からのぞき込むことなくメイクをすることが可能となる。また、図６に示す状態から蓋体（１３）を平行軸支体（８）と平行に回転して、収納体（１）の裏側に重ね合わせた状態とすると、化粧用コンパクト容器（２４）を展示する際等に鏡体（１４）が傷付くのを防止することが可能となる。
【図面の簡単な説明】
【００１６】
【図１】本発明の一実施例を示す斜視図。
【図２】蓋体と収納体の接続部部分の拡大図。
【図３】収納体と蓋体の閉止状態を示す斜視図。
【図４】蓋体を収納体から立ち上げた状態を示す斜視図。
【図５】蓋体を収納体と平行になるように倒した状態を示す斜視図。
【図６】図５の蓋体を収納体と直交するよう回動させた状態を示す斜視図。
【符号の説明】
【００１７】
１  収納体
２  化粧料
４  収納部
５  短辺側
８  平行軸支体
１３  蓋体
１５  短辺側
１６  垂直軸支体
１７  係合部
２１  他方短辺側
２４  化粧用コンパクト容器
【図１】
2006288764.tif 000003
【図２】
2006288764.tif 000004
【図３】
2006288764.tif 000005
【図４】
2006288764.tif 000006
【図５】
2006288764.tif 000007
【図６】
2006288764.tif 000008